(57)【要約】【課題】アクティブマルチチャンネルLED駆動電源システムの提供。【解決手段】本考案のアクティブマルチチャンネルLED駆動電源システムは、システム全体が、七個の操作区間を有し、一般電源は、第一区間から導入され、EMC回路により整流濾波後、PWM回路により電力を調整し、第二区間により変圧処理する。更に、第三区間のCC＆CV制御回路により整流濾波して、最適電力を形成し、更に、第四区間によりマルチチャンネル分流し、第五区間の間隔変調回路により、元は直流であった電源出力を、出力周波数と周期幅が制御可能な間隔的電力に変調し、第六区間のLED発光モジュールに出力し、光源起動操作を実行し、同時に、第七区間に環境パラメータセンサーを設置して、LED発光モジュールの温度係数を回答し、第三区間のCC＆CV制御回路に提供して、出力電圧電流曲線を調整、及び、判定し、これにより、電子散熱率、及び、エネルギー効率の再向上を達成し、LEDランプが最大功能を発揮する。【選択図】    図２
0003145812.tif 000002
【実用新案登録請求の範囲】
【請求項１】
アクティブマルチチャンネルLED駆動電源システムであって、主に、高効率のLED光源設備に対し設計した駆動電源の操作システムであって、システム全体は、七個の操作区間を有し、一般電源は、EMC回路、及び、PWM回路を有する第一区間から導入され、変圧器を有する第二区間を経て、CC＆CV制御回路を有する第三区間に進入し、更に、複数のマルチチャンネル出力器を有する第四区間を経て、マルチチャンネル出力器と等数の間隔変調回路を有する第五区間を経て、間隔変調回路と等数のLED発光モジュールを有する第六区間に出力され、第七区間に環境パラメータセンサーを設置することを特徴とするアクティブマルチチャンネルLED駆動電源システム。
【請求項２】
アクティブマルチチャンネルLED駆動電源システムであって、前記システムは一般電源が、EMC回路、SW、及び、PWM回路を有する第一区間から導入後、変圧器を有する第二区間から、更に、CC＆CV制御回路を有する第三区間を経て、複数のマルチチャンネル出力器を有する第四区間を経て、マルチチャンネル出力器と等数の間隔変調回路を有する第五区間を経て、間隔変調回路と等数のLED（発光ダイオード）発光モジュールを有する第六区間に出力され、第七区間に環境パラメータセンサーを設置することを特徴とするアクティブマルチチャンネルLED駆動電源システム。
【請求項３】
アクティブマルチチャンネルLED駆動電源システムであって、前記システムは一般電源が、EMC回路、及び、PWM回路を有する第一区間から導入後、変圧器を有する第二区間から、更に、CC＆CV制御回路を有する第三区間を経て、複数のマルチチャンネル出力器を有する第四区間を経て、マルチチャンネル出力器と等数の間隔変調回路を有する第五区間を経て、間隔変調回路と等数のLED発光モジュールを有する第六区間に出力されることを特徴とするアクティブマルチチャンネルLED駆動電源システム。
【考案の詳細な説明】
【技術分野】
【０００１】
本考案は、アクティブマルチチャンネルLED駆動電源システムに関するものである。
【背景技術】
【０００２】
一般のLED（発光ダイオード）の駆動電源システムの出力模式は、大きく分けて３種あり、一つは、CVモード（恒電圧模式）、もう一つはCCモード（恒電流模式）、最後にCC＆CVモード（恒電圧/恒電流共存模式）であるが、電源駆動部は、LEDの最適な操作電圧、及び、操作電流点をアクティブ制御することができず、且つ、気候温度の変化、或いは、LEDランプの散熱設計が不良で、環境温度変化を制御できない状況下で、LEDの過熱状況を生じ、LEDの発光輝度、及び、エネルギー効率を低下させ、LED発光モジュールを焼損する可能性がある。図１は、公知のCC＆CVモードを採用するLED駆動電源システムを示す図である。主に、四個の操作期間があり、電源は第一区間１０から導入され、まず、EMC回路１１（電磁互換性回路）により整流濾波を実行し、更に、PWM回路（パルス幅調整器）１３により、電力を調整後（電源サプライの操作効率を８０％以上に向上する）、第二区間２０の変圧器２１により変圧処理を実行し、更に、第三区間３０のCC＆CV制御回路３１の整流濾波により最適電力を形成した後、最後の区間６０の発光モジュール６１に出力する。駆動システムは、自動的に周辺温度に感応して出力を調整する設計ではなく、よって、LEDの過熱状況が生じやすく、LED発光モジュールを焼損する状況が生じやすい。
【考案の開示】
【考案が解決しようとする課題】
【０００３】
本考案の目的は、LEDをランプ源とするランプの駆動回路整合操作システムの新設計を提供し、特に、高電力LEDランプに対する研究開発により、システム操作下で、電子散熱率、及び、エネルギー効率の最向上を達成し、LEDランプに最大功能を発揮させることことにある。
【課題を解決するための手段】
【０００４】
本考案のアクティブマルチチャンネルLED駆動電源システムは、システム全体が、七個の操作区間を有し、一般電源は、第一区間から導入され、EMC回路により整流濾波後、PWM回路により電力を調整し、第二区間により変圧処理する。更に、第三区間のCC＆CV制御回路により整流濾波して、最適電力を形成し、更に、第四区間によりマルチチャンネル分流し、第五区間の間隔変調回路により、元は直流であった電源出力を、出力周波数と周期幅が制御可能な間隔的電力に変調し、第六区間のLED発光モジュールに出力し、光源起動操作を実行し、同時に、第七区間に環境パラメータセンサーを設置して、LED発光モジュールの温度係数を回答し、第三区間のCC＆CV制御回路に提供して、出力電圧電流曲線を調整、及び、判定し、これにより、電子散熱率、及び、エネルギー効率の再向上を達成し、LEDランプが最大功能を発揮する。
【考案の効果】
【０００５】
システム操作下で、電子散熱率、及び、エネルギー効率の最向上を達成し、LEDランプに最大功能を発揮させることができる。
【考案を実施するための最良の形態】
【０００６】
本考案は、アクティブマルチチャンネルLED駆動電源システムを提供し、主に、高電力LED光源設備により設計される駆動電源の操作システムで、システム全体は、七個の操作区間を有し、図２で示されるように、一般の電源は、EMC回路（電磁互換性回路）１１、SW（自動制御選択器）１２、及び、PWM回路（パルス幅調整器）１３を有する第一区間１０から導入後、変圧器２１を有する第二区間２０から、更に、CC＆CV制御回路３１を有する第三区間３０を経て、複数のマルチチャンネル出力器４１を有する第四区間４０を経て、マルチチャンネル出力器４１と等数の間隔変調回路５１を有する第五区間５０を経て、間隔変調回路５１と等数のLED（発光ダイオード）発光モジュール６１を有する第六区間６０に出力され、第七区間７０に環境パラメータセンサー７１を設置する。
【０００７】
上述のように、本考案は、アクティブマルチチャンネルLED駆動電源システムを構築し、一般電源は、第一区間１０から導入され、EMC回路１１により整流、濾波を実行し、SW１２により判定し、効果不足の電圧電流をPWM回路１３に導入して、電力を調整後（電源サプライの操作効率は８０％以上に向上する）、第二区間２０の変圧器２１により変圧処理を実行し、更に、第三区間３０のCC＆CD制御回路３１により整流濾波して、最適電力を形成後、第四区間４０の複数のマルチチャンネル出力器４１により、マルチチャンネル等比例で功能分流し、その方式は、例えば、第三区間３０により導入される電流電圧は１０Vで、第四区間４０の二個のマルチチャンネル出力器４１により各５Vに分流し、更に、第五区間５０とマルチチャンネル出力器４１と等数の間隔変調回路５１を導入し、元は直流の電源出力を、出力周波数、及び、周期幅が制御可能な間隔的電力に変調した後、更に、第六区間６０と間隔変調回路５１と等数のLED（発光ダイオード）発光モジュール６１に出力して、光源起動操作を実行し、この種の間隔変調方式は、第五区間５０中の一間隔変調回路５１により、第四区間４０の二個のマルチチャンネル出力器４１により各５Vに分流される正極電流電圧を整合受信し、１０Vを第六区間６０に出力して、一LED発光モジュール６１を起動させる。一間隔変調回路５１は、第四区間４０の二個のマルチチャンネル出力器４１により各５V負極電流電圧を整合受信して、１０Vを第六区間６０に出力して、もう一つのLED発光モジュール６１を起動させ、この二つの間隔変調回路５１は、非同時出力で、同時に、二LED発光モジュール６１を同時起動し、瞬間間隔交互方式により出力し、もちろん、第六区間６０の二個のLED発光モジュール６１も、瞬間間隔交互方式により、発光光源を起動し、この瞬間間隔交互の光源は視覚上察知できず、よって、第六区間６０は自然な光源を表示する。この他、第七区間７０の環境パラメータ７１は、システム全体、及び、周辺環境温度変化を感知し、LED発光モジュール６１の温度係数を返答して、第三間隔３０のCC＆CV制御回路３１に提供して、出力電圧電流曲線を調整、及び、判定する。これにより、アクティブ式電子散熱率、及び、マルチチャンネル分流出力を達成して、エネルギー効率を向上させ、LEDランプが最大功能を発揮すると共に、LEDの過熱状況を生じず、LEDの発光輝度、及び、エネルギー効率の低下によるLED発光モジュールの焼損を防止する。
【０００８】
図３は、本考案の第二実施例を示す図で、その特徴は、LED電源駆動システムは、第四空間４０と複数のマルチチャンネル出力器４１を省き、直接、第三区間３０のCC＆CV制御回路３１により整流濾波して最高効率を形成後、第五区間５０の間隔変調回路５１により、元は直流であった電源出力を、出力周波数、及び、周期幅の制御が可能な間隔的電力に変調後、第六区間６０と間隔変調回路５１と等数のLED発光モジュール６１に出力して、光源起動操作を実行する。第七区間７０の環境パラメータセンサー７１により、LED発光モジュール６１の温度係数を回答し、第三区間３０のCC＆CV制御回路３１に提供して、出力電圧電流曲線を調整、及び、判定し、これにより、マルチチャンネルにより出力分流しなくても、エネルギー効率を向上させ、アクティブ式電子型散熱を達成して、LEDランプの使用効率を確保する。
【０００９】
図４は本考案の第三実施例を示す図で、その特徴は、LED電源駆動システムは、第五空間５０、及び、複数の間隔変調回路５１を省き、直接、第三区間３０のCC＆CV制御回路３１により整流濾波して、最高効率を形成後、第四区間４０の複数のマルチチャンネル出力器４１により、マルチチャンネルの等比例功能分流で、第六区間６０に出力し、LED発光モジュール６１が光源起動操作を実行する。第七区間７０の環境パラメータセンサー７１により、LED発光モジュール６１の温度係数を回答し、第三区間３０のCC＆CV制御回路３１に提供して、出力電圧電流曲線を調整、及び、判定し、これにより、マルチチャンネルにより出力分流しなくても、エネルギー効率を向上させ、アクティブ式電子型散熱を達成して、LEDランプの使用効率を確保する。
【００１０】
図５は本考案の第四実施例を示す図で、その特徴は、LED電源駆動システムは、第四空間４０、及び、第五区間５０を省き、直接、第三区間３０のCC＆CV制御回路３１により整流濾波して、最高効率を形成後、第六区間６０に出力し、LED発光モジュール６１が光源起動操作を実行する。第七区間７０の環境パラメータセンサー７１により、LED発光モジュール６１の温度係数を回答し、第三区間３０のCC＆CV制御回路３１に提供して、出力電圧電流曲線を調整、及び、判定し、これにより、マルチチャンネルにより出力分流しなくても、エネルギー効率を向上させ、アクティブ式電子型散熱を達成して、LEDランプの使用効率を確保する。
【００１１】
図６は本考案の第五実施例を示す図で、その特徴は、LED電源駆動システムは、第七空間７０の環境パラメータセンサー７１を省き、電源は、第一区間１０から導入し、EMC回路１１により整流、濾波を実行し、SW１２により、功能不測の電圧電流を判定して、PWM回路１３に導入して、電力を向上後、第二区間２０の変圧器２１により変圧処理する。更に、第三区間３０のCC＆CV制御回路３１により整流、濾波して、最高電力を形成後、第四区間４０の複数のマルチチャンネル出力器４１により、マルチチャンネルと等比例で分流し、第五区間５０とマルチチャンネル４１と等数の間隔変調回路５１により、元は直流の電源を出力し、出力周波数、及び、周期幅を調整可能な間隔的電力に変調後、更に、第六区間６０と間隔変調回路５１と等数のLED発光モジュール６１に出力し、光源起動操作を実行する。
【図面の簡単な説明】
【００１２】
【図１】公知のCC＆CV模式を採用したLED駆動電源システムを示す図である。
【図２】本考案のアクティブ式マルチチャンネルLED電源の駆動システムを示す図である。
【図３】本考案の第二実施例を示す図である。
【図４】本考案の第三実施例を示す図である。
【図５】本考案の第四実施例を示す図である。
【図６】本考案の第五実施例を示す図である。
【符号の説明】
【００１３】
１０  第一区間
１１  EMC回路
１２  SW
１３  PWM制御
２０  第二区間
２１  変圧器
３０  第三区間
３１  CC＆CV制御回路
４０  第四区間
４１  マルチチャンネル出力器
５０  第五区間
５１  間隔変調回路
６０  第六区間
６１  発光モジュール
７０  第七区間
７１  環境パラメータセンサー
【図１】
0003145812.tif 000003
【図２】
0003145812.tif 000004
【図３】
0003145812.tif 000005
【図４】
0003145812.tif 000006
【図５】
0003145812.tif 000007
【図６】
0003145812.tif 000008